(57)【要約】      （修正有）【課題】簡単な構造でありながら、信号ケーブルの挟み込み事故を確実に回避できるパチンコ機における信号ケーブルの保持具を提供する。【解決手段】フック部材２の下方に保持具本体４を連接し、この保持具本体４の片面に挟持部材５を並設し、この挟持部材５の上部に信号ケーブルを挿入するための挿入開口を形成してパチンコ機における信号ケーブルの保持具を構成する。【選択図】図１
0003156396.tif 000002
【実用新案登録請求の範囲】
【請求項１】
フック部材の下方に保持具本体を連接し、この保持具本体の片面に挟持部材を並設し、この挟持部材の上部に信号ケーブルを挿入するための挿入開口を形成したことを特徴とするパチンコ機における信号ケーブルの保持具。
【請求項２】
フック部材と保持具本体を一体的になるように構成したことを特徴とする請求項１記載のパチンコ機における信号ケーブルの保持具。
【請求項３】
保持具本体に他のケーブルを係止するための掛け止め部材を１個以上取り付けたことを特徴とする請求項１又は２記載のパチンコ機における信号ケーブルの保持具。
【請求項４】
フック部材と保持具本体とを連接部材を介して連接したことを特徴とする請求項１乃至３のいずれかに記載のパチンコ機における信号ケーブルの保持具。
【考案の詳細な説明】
【技術分野】
【０００１】
本考案は、貸玉用台間機（サンド）とパチンコ機との間を接続する信号ケーブルを、パチンコ機の前扉の開閉時に挟み込まないようにするための、パチンコ機における信号ケーブルの保持具に関する。
【背景技術】
【０００２】
従来より、パチンコホールにおいてはパチンコ機の横側に貸玉用台間機（サンド）が配設されており、この貸玉用台間機のカード挿入口にプリペイドカードを挿入するか、あるいは貸玉用台間機の紙幣挿入口に紙幣を挿入すると、貸玉用台間機からパチンコ機に払出データが伝送され所定数のパチンコ玉の払出が行われるようになっている。
上記の払出データを伝送するための信号経路として、貸玉用台間機背面とパチンコ機背面との間には信号ケーブル（通常フラットケーブルになっている）が掛け渡されている。
【先行技術文献】
【特許文献】
【０００３】
【特許文献１】特開２００２−１２６３０３号公報
【特許文献２】特開２０００−１１６９１３号公報
【考案の概要】
【考案が解決しようとする課題】
【０００４】
ところで、上記した信号ケーブルは、前扉を最大角度開いたときにも引張り力が働かないようにするため、その長さ寸法に余裕を持たせている結果、その余裕部の一部がパチンコ機の背面側でＵ字状に垂れ下がった状態で配設されているという実情があった。
このため、点検や修理などのためにパチンコ機の前扉を開閉する際に、垂れ下がった信号ケーブルがパチンコ機の背面側で、外枠やパチンコ機本体や前扉やその他の周辺部材などに引っ掛かることで、前扉が閉まらなくなったり、挟まれた信号ケーブルが断線するなどの事故が発生するという問題があった。
【０００５】
このような問題を解決するために、上記従来の先行技術のものは、伸縮自在な吊り下げ部材を別途用意したり、あるいはケーブル昇降手段を別途用意するなどしているが、これらは全体の構造が複雑になったり、コストアップにつながったりするため、どうしても使いにくいという課題があった。
【０００６】
本考案の目的は、簡単な構造でありながら、信号ケーブルの挟み込み事故を確実に回避できるパチンコ機における信号ケーブルの保持具を提供するとともに、パチンコ機における信号ケーブルの保持具として使い易さの向上を図ることを目的とするものである。
【課題を解決するための手段】
【０００７】
前記課題を解決するために、請求項１に記載の考案は、フック部材の下方に保持具本体を連接し、この保持具本体の片面に挟持部材を並設し、この挟持部材の上部に信号ケーブルを挿入するための挿入開口を形成したことを特徴とするパチンコ機における信号ケーブルの保持具である。
【０００８】
請求項２に記載の考案は、フック部材と保持具本体を一体的になるように構成したことを特徴とする請求項１記載のパチンコ機における信号ケーブルの保持具である。
【０００９】
請求項３に記載の考案は、保持具本体に他のケーブルを係止するための掛け止め部材を１個以上取り付けたことを特徴とする請求項１又は２記載のパチンコ機における信号ケーブルの保持具である。
【００１０】
請求項４に記載の考案は、フック部材と保持具本体とを連接部材を介して連接したことを特徴とする請求項１乃至３のいずれかに記載のパチンコ機における信号ケーブルの保持具である。
【考案の効果】
【００１１】
上記の請求項１乃至４の考案によれば、フック部材をパチンコ機の背面の各種電子部品をカバーしている保護板材に形成してある多数の空気抜き用の孔などに引っ掛けるように係止し、挟持部材の挿入開口から信号ケーブルの垂れ下がり部分を挿入することで、信号ケーブルの挟まれ事故を回避できるという効果を発揮する。
【００１２】
また請求項３の考案によれば、信号ケーブル以外の他のケーブルの挟まれ事故をも回避できるという効果を発揮する。
【図面の簡単な説明】
【００１３】
【図１】本考案に係るパチンコ機における信号ケーブルの保持具の全体図であり、（ａ）は背面図，（ｂ）は正面図，（ｃ）は前図の中央縦断面図である。
【図２】本考案に係るパチンコ機における信号ケーブルの保持具の他の実施例の全体図であり、（ａ）は背面図，（ｂ）は正面図，（ｃ）は前図の中央縦断面図である。
【図３】保持具本体に信号ケーブルを挟持させた状態の参考正面図である。
【図４】保持具本体に信号ケーブルを挟持させた状態の他の実施例の参考正面図である。
【考案を実施するための形態】
【００１４】
以下添付図面に基づいて、本考案パチンコ機における信号ケーブルの保持具の一実施の形態を詳説するが、本考案はこれらの実施の形態に制限されるものではない。
図１に示す信号ケーブルの保持具１は、フック部材２、連接部材３、保持具本体４、挟持部材５で形成されているが、必要に応じて連接部材３は省略することも可能である。
【００１５】
フック部材２は、パチンコ機（図示しない）の背面にある多数の電子部品をカバーしている保護板材に形成してある多数の空気抜き用の孔のなかから、適当な位置にあるものを選んでそこに引っ掛けて係止する。この空気抜き用の孔は、パチンコ機の上部から下部に亘ってあらゆる箇所に形成しているため、フック部材２の引っ掛け係止位置の選択に迷うおそれはほとんどない。フック部材２は、上記した空気抜き用の孔以外にも、適当な箇所に引っ掛けることができることはもちろんである。
【００１６】
フック部材２によってパチンコ機に取り付けられ、並設された保持具本体４と挟持部材５との間に挟持された信号ケーブル６は、本考案の信号ケーブルの保持具１によって、外枠、パチンコ機本体、前扉、周辺機器などに挟まれないように保持されるようになる。
【００１７】
挟持部材５の上部には、信号ケーブル６を差し込みやすくするために、上方に向かって拡開した挿入開口７が形成されている。
また保持具本体の下部には、他のケーブル８を係止するための掛け止め部材９を設けるようにしても良く、この掛け止め部材９は複数個設けられるようにしても良い。
【００１８】
本考案の連接部材３は、可撓性のある素材でも、剛性のある素材でも良く、またフック部材２、保持具本体４、挟持部材５は、アルミニウムのような金属あるいは合成樹脂などの適宜の素材で形成することができ、保持具本体４及び挟持部材５の一部には必要に応じて打ち抜き部１０を形成するようにすることもできる。
【産業上の利用可能性】
【００１９】
本考案のパチンコ機における信号ケーブルの保持具は、パチンコ機を設置するパチンコホールなどにおいて重宝に利用することが可能である。
【符号の説明】
【００２０】
１ …信号ケーブルの保持具
２ …フック部材
３ …連接部材
４ …保持具本体
５ …挟持部材
６ …信号ケーブル
７ …挿入開口
８ …他のケーブル
９ …掛け止め部材
１０…打ち抜き部
【図１】
0003156396.tif 000003
【図２】
0003156396.tif 000004
【図３】
0003156396.tif 000005
【図４】
0003156396.tif 000006